(57)【要約】      （修正有）【課題】消費電力を低減するとともに、低コスト、小型で、必要なバイパス電流を確保することを可能としたアーク発生防止装置を提供する。【解決手段】高電圧遮断器８を介して高電圧電源と負荷を接続する電力線には、高電圧遮断器８をバイパスするバイパス回路が設けられている。このバイパス回路には、ダイヤモンドＰＮダイオード２を電子放出源として用いた真空パワースイッチ１が設けられている。高電圧遮断器８のオン・オフに先立って、真空パワースイッチ１をオンにすると、バイパス回路に、ダイヤモンドＰＮダイオード２から電子放出に伴う電子放出電流が流れ、高電圧遮断器８に流れる電流を急速に低減させる。これにより、高電圧遮断器８のオン・オフに伴ってアークが発生するのを防止する。【選択図】図５
2014238977.tif 000002
【特許請求の範囲】
【請求項１】
高電圧遮断器を介して高電圧電源と負荷を接続する電力線に設けられ、前記高電圧遮断器をバイパスするバイパス回路と、
前記バイパス回路に設けられ、ダイヤモンドＰＮダイオードを電子放出源として用いた真空パワースイッチとからなり、
前記高電圧遮断器のオン・オフに先立って、前記真空パワースイッチをオンとし、前記バイパス回路に、前記ダイヤモンドＰＮダイオードからの電子放出に伴う電子放出電流を流すことにより、前記高電圧遮断器のオン・オフに伴って発生するアークを防止するようにしたことを特徴とする高電圧遮断器用アーク発生防止装置。
【請求項２】
前記電子放出電流の電流値が、前記高電圧遮断器がオンしているときに前記高電圧電源から前記負荷に流れる電流値となるよう、前記ダイヤモンドＰＮダイオードの電流容量を定めたことを特徴とする請求項１に記載の高電圧遮断器用アーク発生防止装置。
【請求項３】
前記真空パワースイッチは、前記ダイヤモンドＰＮダイオードに順方向のダイオード電圧を印加するスイッチを備えており、該スイッチをオンにすることにより、前記バイパス回路に前記電子放出電流を流すようにしたことを特徴とする請求項１または記載の高電圧遮断器用アーク発生防止装置。
【請求項４】
前記高電圧遮断器を作動させるアクチュエータと、前記ダイヤモンドＰＮダイオードにダイオード電源を接続するスイッチを設け、前記真空パワースイッチの操作により、前記アクチュエータ及び前記スイッチを、シーケンス制御によりオン・オフ制御する制御装置を設けたことを特徴とする請求項１または記載の高電圧遮断器用アーク発生防止装置。
【発明の詳細な説明】
【技術分野】
【０００１】
本発明は、高電圧の電力系統を遮断、投入、切り替えを安全かつ確実に行うために、高電圧電源のオン・オフを行う高電圧遮断器に配備されるアーク発生防止装置に関する。
【背景技術】
【０００２】
基幹電力系統に、大規模ソーラー発電システムや風力発電システムからの再生可能エネルギー利用や電力融通を可能とする長距離送電を含むスマートグリッド構想を導入するためには、高電圧直流電力を自在に扱うことのできる小型で超高耐圧の電力変換装置が必要となる。このような新しい電力システムにおいて、機器の保守や故障の場合だけでなく、再生可能エネルギーの変動などにより、電力供給源の電圧が異常に変動した場合にも、電力供給源と負荷側との間に設けた遮断機を遮断し、負荷側を保護することが必要となる。
また、電力網の一部が故障した場合等には、複数の遮断機や、遮断機を組み合わせた切替器(以下、こうした遮断器、切替器、開閉器を含め「遮断器」と総称する。)を作動させて、故障箇所をバイパスする電力網を形成し、送電を確保することが必要となる。
【０００３】
従来、基幹電力系統のような高電圧システムでは、超高電圧の電力線の遮断、切り替えを行う際には、機械的にオン・オフされるスイッチを備えたガス遮断器や真空遮断器等を利用することが一般的である。しかし、遮断器の接点を導通あるいは切断しようとすると、強力なアークが発生して、溶着などにより作動が円滑に行われず、接点が早期に破損するなどの問題が生じ危険である。特にスマートグリッドで求められる直流送電では、こうした遮断器、あるいは遮断器を伴った切替器の設計が困難である。
【０００４】
ガス遮断器では、接点に不活性ガスを吹き付けることでアークを消弧することができるが、根本的にアークの発生を抑制できるわけではなく、やはり接点電極の消耗が激しく、スマートグリッドで想定されるような頻繁なオン・オフを行うことができない。このため、ガス遮断器や真空遮断器を大容量化せざるを得ず、専用の遮断機室等、多額の設備投資やスペースの確保が必要となる。
【０００５】
この問題を解決するため、特許文献１には、真空遮断器からなる高速機械スイッチをバイパスするように、光導電素子からなるスイッチング素子を設け、この光導電素子に照射光源からの光を照射することにより、高速機械スイッチをバイパスするように電流を流すことができ、この状態でオフすることにより、アークを発生させずに発電機と電力ネットワーク間を切断することが記載されている。光導電素子の光電子放出により、最小アーク電圧あるいは最小アーク電流以下で機械スイッチをオフすることができれば、アーク発生を抑制することが可能になる。
【先行技術文献】
【特許文献】
【０００６】
【特許文献１】特許第４５３２７３５号公報
【非特許文献】
【０００７】
【非特許文献１】Technical Tidbits  ブラッシュウエルマン  ジャパン  ひとくち技術情報  VOL.4 No.10 接点のアーク放電  2002年10月
【発明の概要】
【発明が解決しようとする課題】
【０００８】
しかし、特許文献１のものでは、例えば、超高電圧の電力線をスイッチングする場合、所望のバイパス電流を発生させるために、光導電素子に膨大な出力の照射光源を照射することが必要となる。このため、アーク発生を防止するのに必要なバイパス電流を確保するためには、照射光源に供給する電力を増大させなければならず、応答の悪化や、消費エネルギーの増大、照射光源の巨大化による電流バイパス装置の超大型化、高コスト化を招くという問題がある。また、光電素子自体に高電圧が負荷されるため、沿面放電を避けるためにも小型化は困難である。
そこで、本発明では、ダイヤモンドＰＮダイオード電子源(ＰＩＮダイオード電子源を含む。)を用いることで、消費電力を低減するとともに、低コスト、小型で、必要なバイパス電流を確保することを可能としたアーク発生防止装置を提供することを目的とする。
【課題を解決するための手段】
【０００９】
上記の目的を達成するため、本発明のアーク発生防止装置は、高電圧遮断器を介して高電圧電源と負荷を接続する電力線に設けられ、高電圧遮断器をバイパスするバイパス回路と、バイパス回路に設けられ、ダイヤモンドＰＮダイオード(ＰＩＮダイオードを含む)を電子放出源として用いた真空パワースイッチとからなり、高電圧遮断器のオン・オフに先立って、真空パワースイッチをオンとし、バイパス回路に、ダイヤモンドＰＮダイオードからの電子放出に伴う電子放出電流を流すことにより、高電圧遮断器のオン・オフに伴って発生するアークを防止するようにした。
【発明の効果】
【００１０】
本発明によれば、高電圧遮断器のオン・オフに先立って、真空パワースイッチをオンとし、高電圧遮断器をバイパスするバイパス回路に、ダイヤモンドＰＮダイオードあるいはＰＩＮダイオード電子源からの電子放出に伴う電流を流す。これにより、高電圧遮断器のオン・オフ時、接点が離れる際に急激に増大する接点間電圧や、あるいは接点が接近する際に急激に増大する接点間電流を瞬時に低減させ、アークの発生を確実に抑止することができる。
しかも、ダイヤモンドＰＮダイオードあるいはＰＩＮダイオードを用いた真空パワースイッチは、コンパクトでありながら、耐電圧性、電力伝達効率がきわめて高い素子自体の特質を備えているので、例えば、超高電圧の電力系統に配置される遮断器、切替器のコンパクト化、低コスト化を実現するとともに、耐久性、信頼性を高めることができる。
【図面の簡単な説明】
【００１１】
【図１】図１は、ダイヤモンドＰＮダイオードを用いた真空パワースイッチの特性を調べるための実験装置の概略図を示す。
【図２】図２は、ダイヤモンドＰＮダイオードのオン・オフに伴って発生する真空パワースイッチの電子放出電流ＩAと、陽極間との電圧ＶAの関係を示す図である。
【図３】図３は、ダイオード電源の電圧に対する電子放出電流ＩAと電子放出効率αの関係を示す図である。
【図４】図４は、アーク放電が発生する際の接点間電圧と接点間電流の推移を示す図である。
【図５】図５は、本発明の実施例１を示す図である。
【図６】図６は、機械式スイッチの接点間電圧と電子放出電流の関係を示す図である。
【図７】図７は、実施例１における接点間電圧と接点間電流の推移を示す図である。
【図８】図８は、従来の機械式スイッチにおける接点間電圧と接点間電流の推移を示す図である。
【図９】図９は、本発明の実施例２を示す図である。
【発明を実施するための形態】
【００１２】
本発明者らは、真空中に高効率かつ低電圧で大電流を流すための理想的な電子放出源として、ダイヤモンドＰＮダイオード電子源を用いた真空パワースイッチを開発している(２０１２年１２月１０日  (独)産業技術総合研究所、(独)物質・材料研究機構  共同発表)。この真空パワースイッチは、ダイヤモンドの表面を水素原子で覆うと、外の真空よりもダイヤモンド中の自由電子のエネルギー位置が高くなり、真空中に自由に電子が飛び出すことができる、負の電子親和力を有する面となることを利用したものである。
【００１３】
水素で覆ったダイヤモンドは、水素原子と炭素原子の強い共有結合で安定化しており、大気中でも安定していて、真空中では８００℃の高温まで安定している。このように、水素で覆ったダイヤモンドＰＮ接合ダイオードをオンすると電子放出が発生する。
ただし、ダイヤモンドの誘電率は他の半導体材料に比べ小さいため、室温で動き回れる電子の量が少なく室温動作で流れる電流はわずかである。一方、ダイヤモンド中では、電子と正孔は室温では自由励起子として結合した状態で安定であり、不純物の少ない結晶品質の高いi層で長寿命となり、高密度になりやすい。そして、水素終端ダイヤモンド表面からは、この自由励起子に起因した電子放出が高効率で得られる。このため、ホウ素を添加したｐ層とリンを高濃度に添加したｎ+層との間に、不純物の混入を極力低くした真性形の層(ｉ層)を入れたＰＩＮ接合形のダイヤモンドＰＮ接合ダイオードを電子放出源とした。ただし、「ＰＮ接合」には、「ＰＩＮ接合」が含まれているとする。
【００１４】
本発明はこうしたダイヤモンドＰＮ接合ダイオードの優れた特性を活かし、高電圧の電力線をスイッチングするための遮断器の小型化、低コスト化、耐久性、信頼性の向上を実現するもので、図１に、実験装置の概略図を示す。
真空室を備える真空パワースイッチ１の内部では、ダイヤモンドＰＮ接合ダイオード２の真上から約１００μｍ離したところに、陽極３が配置されている。
また、ダイオード電源４のプラス側が、ダイヤモンドＰＮ接合ダイオード２のｐ層側端子に、マイナス側がｎ+層側端子に接続されている。ダイオード電源４のプラス側と、ダイヤモンドＰＮ接合ダイオード２のｐ層側との間には、スイッチ５が設けられている。ここで、ｐ層側端子がスイッチ５を介してアースに接続されているが、ｎ+層側端子がアースに接続されても動作する。
【００１５】
陽極３は、２００ＭΩの負荷６を介して、１０ｋＶの高圧直流電源７に接続されている。本実験例では、ダイヤモンドＰＮ接合ダイオード２の電流容量を決める面積としては、陽極３に対向する面が１.９×１０-3平方センチメートル(約０.４４ｍｍ角)のものを使用している。
【００１６】
このような構成によれば、スイッチ５をオンにしたとき、ダイヤモンドＰＮ接合ダイオード２にダイオード電源４が印加され、ｐ層側端子とほぼ同電位のi層から陽極に向けて、電子が放出されることになる。この電子の放出により、高圧直流電源７から、負荷６を介して、アース側に流れる電子放出電流ＩAが発生する。
【００１７】
スイッチ５のオン、オフに伴って、発生する電子放出電流ＩAと、ダイヤモンドＰＮ接合ダイオード２−陽極３間の電圧ＶAの関係を図２に示す。
この結果から分かるように、スイッチ５をオフからオンに切り替えた瞬間に、ダイヤモンドＰＮ接合ダイオード２のｐ層側端子とｎ+層側端子の間に、ダイオード電源４が印加され、負荷６を介して、電子放出電流ＩAが発生し、ダイヤモンドＰＮ接合ダイオード２−陽極３間の電圧ＶAが、ＩA＝４８μＡの動作点に従って９.８ｋＶから１６０Ｖまで低下する。
【００１８】
このとき、ダイヤモンドＰＮ接合ダイオード２への入力電力は、ダイオード電圧２３.６Ｖ、ダイオード順方向電流ＩG＝７ｍＡ、駆動時間０.５秒の積で、８２.６ｍＷであるのに対し、負荷への出力電力は、負荷電圧９.６４ｋＶ、電流４８μＡ、駆動時間０.５秒の積で、２３１ｍＷとなり、２３１／(８２.６＋２３１)＝７３.７％の電力伝達効率が得られた。
【００１９】
一方、スイッチ５をオンからオフに切り替えると、約０.３秒経過後に、電流ＩAが０Ａとなり、電圧ＶAは、９.８ｋＶに復帰する。
このように、ダイヤモンドＰＮ接合ダイオード２は、陽極３に対向する面積が１.９×１０-3平方センチメートル程度の微小な素子でも、スイッチ５がオフしているときは、陽極４に印加される１０ｋＶに対し、ほぼ電気的に絶縁した状態を維持することができる。
なお、０.３秒の時定数は、回路の時定数で決まっており、ＰＮ接合ダイオードによる電子放出電流のオン・オフの速さは１ｍｓ未満であることが観測されている。
【００２０】
図３は、ダイオード電源４の電圧(横軸)に対し、電子放出電流ＩA(左側の縦軸)と、電子放出効率α(ＩA／ＩG)の関係を示す。測定では、無負荷の状態で陽極電圧(高圧電源電圧)は１００Ｖに固定した。
【００２１】
この結果から分かるように、ダイヤモンドＰＮ接合ダイオード２に、３０Ｖの順方向の電圧を印加したとき、ＩAは３４５μＡ、ＩGは４０ｍＡとなり、電子放出効率α(ＩA／ＩG)は、０.８６％となる。
【００２２】
以上から、ダイヤモンドＰＮ接合ダイオード２の電流容量を決める面積として、面積(Ｓmesa＝１.９×１０-3平方センチメートル)としたとき、最大で、１８０ｍＡ／ｃｍ2の電流密度が得られることが分かる。したがって、１０ｃｍ四方のように、ダイヤモンドＰＮ接合ダイオード２を用いれば、１８Ａの電子放出電流ＩAが得られることができる。
【００２３】
このように、ダイヤモンドＰＮ接合ダイオードを用いた真空パワースイッチは、スイッチ５のオフ時には、１０ｋＶという高電圧に対しても高い絶縁性を示す一方、オン時には、ＩA−ＶA特性はＶA＝０からＩAが立ち上がるので、ほぼ抵抗が０になり、負荷に流れる電流を電子放出に伴う電流で抑制でき、しかも、オン時の消費電力が低く、高いオン・オフ耐久性を有している。
さらに、真空中の電子は、固体中と比較してほぼ１０倍の速度、すなわち、光速に近い速度まで追随可能であるから、固体素子よりも急激な電圧変動に瞬時に追随することができる。
そこで、本発明では、この特性を活かし、ダイヤモンドＰＮ接合ダイオードを、特に高電圧の遮断、切り替えを行う真空遮断器などの機械式スイッチをバイパスするスイッチング素子として利用する。
これにより、小型、低コスト、低消費電力で、高電圧遮断器として用いる機械式スイッチのオン・オフ時に発生するアークを確実に防止することができる。
【００２４】
まず、アーク放電の発生メカニズムと、発生条件について分析する。
アーク放電は直流、交流を問わず、接点を持つあらゆる機械式開閉器や遮断器でオン時にもオフ時にも生じる。そのメカニズムは、依然詳細まで解明されていないが、図４に示すように、アーク放電が持続するのは、最小アーク電圧以上の電圧が接点間に生じ、かつ最小アーク電流以上の電流が流れる場合である。
したがって、いずれか一方の条件を回避できれば、アークは持続しないから、保守すべき機械式開閉器や遮断器に並列に、これらの機械式開閉器や遮断器に流れる電流を能動的にバイパスさせ、しかも、遮断器の接点間の接触が、不十分あるいは接触していない場合でも、それによって、遮断器が高電圧電力線のスイッチング等を行う際に接点間に生じる電位差(電圧)を最小アーク電圧以下にすることによって、アーク発生を防止できる。
【００２５】
この観点で、図４の接点オフの場合にアークが点弧する際の接点間電圧Ｖと接点間電流Ｉの時間発展をみてみると、接点間電流Ｉは接点オフ開始前にＩ0で、最小アーク電流より大きい(Ｉ0＞Ｉarc)。
接点オフ開始により、接点間は徐々に接触面積が少なくなり、Ｉ0は小さい領域に集中するため、接触抵抗が増大する。供給電源から高圧電圧の供給が継続している場合、接触抵抗の増大によりＶが上昇する一方、Ｉ0が回路の慣性のために維持される。これが正帰還的に時間発展すると、残存する接触部分ではジュール熱が集中し、ついには電極金属材料の蒸発に発展する。この瞬間に、大量の電子と正イオンが発生し、高いＶと微小な接触間距離で発生する高電界によって加速され、電極材料のさらなる蒸発とイオン化が放電持続条件を満たしながら雪崩的に進行するため、最終的にアーク点弧に至る。
【００２６】
一方、図１に示すように、ダイヤモンドＰＮ接合ダイオード２をオンし、十分な電子放出電流が得られる状態にあるとき、陽極電圧が低い場合では、電子放出が担う真空パワースイッチを経由して流れる電流は低いレベルである。しかし、機械式開閉器や遮断器のオン・オフ作動に伴い、接点間の接触状態が臨界的な状態となり、陽極電圧が急激に上昇する場合には、真空パワースイッチにおいて、真空中の電子が固体中の十倍速い光速に近い速度で追随できるため、最小アーク電圧よりも小さい範囲で陽極電圧の極端な上昇を抑制し、かつ遮断器が担うべき十分な電流レベルが確保することができる。
【００２７】
こうしたダイヤモンドＰＮ接合ダイオードの特性を利用したアーク発生防止装置の実施例を図面とともに説明する。
［実施例１］
図５に示すように、直流の電力供給源と負荷側との間には、２個の接点を備えた真空遮断器など、高電圧電源のオン・オフを行う機械式スイッチ８が設けられている。この機械式スイッチ８をバイパスする回路中に、ダイヤモンドＰＮ接合ダイオードを利用した真空パワースイッチ１からなるアーク発生防止装置が設けられている。
【００２８】
具体的には、発電量１.８ＭＷ(定格電圧１００ｋＶ、定格電流１８Ａ)クラスの風力発電機を電力供給源とした場合、真空パワースイッチ１に使用するダイヤモンドＰＮ接合ダイオード２としては、耐圧１００ｋＶ以上で、スイッチ５をオンしたとき、ダイオード電源４の印加により、ＩA＝１８Ａの電子放出電流を確保する必要があり、このため、本実施例では、１０ｃｍ四方のダイヤモンドＰＮ接合ダイオード２を用いた。
【００２９】
機械式スイッチ８のオン・オフは、次のような手順で行う。
最初に電力供給源と負荷を遮断するため、機械式スイッチ８をオフする場合について述べる。
まず、機械式スイッチ８の接点をオフする前に、ダイヤ真空パワースイッチ１内に設けられたスイッチ５をオンすることにより、ダイヤモンドＰＮ接合ダイオード２にダイオード電源４からの電圧を印加してダイオード電流ＩGを流す。
【００３０】
図６は、陽極３の電圧、すなわち、機械式スイッチ８の接点間電圧と電子放出電流の関係を示したものであり、スイッチ５がオフの場合には、陽極３に高電圧が印加されても電子放出電流ＩAは、ほぼ０を維持している。
一方、スイッチ５がオンとなり、ダイヤモンドＰＮ接合ダイオード２に順方向のダイオード電流ＩGが流れたときは、接点間電圧Ｖの上昇と同時に低い電圧から放出電流が増大する。この放出電流特性は、ダイヤモンドＰＮ接合ダイオード２に順方向に印加するダイオード電源４の電圧(その結果決まるダイオード電流ＩG)に依存する。
【００３１】
そこで、オン時に機械スイッチ８を流れる全電流値をＩ、電子放出電流値をＩA、負荷側に流れる全電流をＩ0としたとき、Ｉ0＝Ｉ＋ＩAの関係を満たしながら、機械式スイッチ８の接点間電圧ＶがＶarcより低電圧のＶXで、ＩA＝Ｉ0となるよう、ダイオード電源４のダイヤＰＮダイオード２に印加する電圧ＶGによってダイヤＰＮダイオード２に流す電流ＩG＝ＩGXと定める。
この実施例では、図６に示される接点間電圧がＶarcよりも十分小さいＶXのとき、電子放出電流値ＩAがＩ0となるよう選定されている。
【００３２】
これにより、機械式スイッチ８のオフに伴い、接点間電圧Ｖが上昇しても、機械式スイッチ８のオフ動作開始前に、ダイヤモンドＰＮ接合ダイオード２にダイオード電源４の電圧ＶGを印加しておくことで、Ｖarcより遙かに低電圧の接点間電圧ＶXで、電子放出電流ＩAがほぼＩ0となり、Ｉをほぼ０Ａとすることができるので、機械式スイッチ８が完全にオフに到るまで、アークの発生を確実に防止することができる。
もちろん、必ずしもＩをほぼ０Ａまで低下させる必要はなく、最小アーク電流Ｉarc未満として、アーク発生の条件を解消するよう選定すればよい。
【００３３】
このように、機械式スイッチ８がオフする過程全体において、バイパス回路の導通により、負荷側と電力供給側が電気的に導通し続け１８Ａ程度の電流が流れ続ける。
これに対し、図４で示したように、バイパス回路がないと、機械式スイッチ８の両接点間の電圧Ｖは急激に増加し、最小アーク電圧でアーク点弧条件に到達する。
バイパス回路に、ダイヤモンドＰＮ接合ダイオード２を備えた真空パワースイッチ１を設け、機械式スイッチ８がオフするのに先だってダイオード電源４の出力を印加することにより、電子放出電流ＩAにより、両接点間を流れる全電流Ｉ0に相当する電流を担うのに十分なだけの電子が準備できる。しかも、ダイヤモンドＰＮ接合ダイオード２は、電子放出応答性が極めて高いため、機械式スイッチ８がオフする全過程において、
全電流(Ｉ0)＝機械スイッチ８を流れる電流(Ｉ)＋バイパス電流(ＩA)
を満たしながら、Ｉを急激に減少させることができる。
このため、機械スイッチ８のオフ動作による接触抵抗の急激な増大が発生しても、Ｖの上昇を確実に抑制することができる。
【００３４】
このように、最終的にＶ＝ＶX＜Ｖarcが満たされるように、能動的に、バイパス電流として電子放出電流値ＩA＝Ｉ0となるようにＩGを制御することにより、機械スイッチ８の接点が完全に離れても、アーク点弧には至らない。
その後、スイッチ５を再びオフすれば、以後、真空パワースイッチ１による電力消費を０にできる。オン・オフ動作時の一連の手順に沿った機械式スイッチ８の接点間電圧Ｖ、接点間電流Ｉの時間発展の概要を図７にまとめる。
一方、対比のため、真空パワースイッチを用いない従来の場合のオン・オフ動作時の一連の手順に沿った機械式スイッチ８の接点間電圧Ｖ、接点間電流Ｉの時間発展の概要を図８に示す。
【００３５】
電力供給源(電圧ＶE)と負荷を時間ｔ0で接続するため、時間ｔ1で、機械式スイッチ(機械ＳＷ)８のオンを開始する直前の時間ｔ0で真空パワースイッチ１内のスイッチ(真空ＳＷ)５をオンにして、ダイオード電源４から電圧ＶGを印加する。このとき、真空パワースイッチは図６の動作点(ＶX，Ｉ0)で動作しており、機械式スイッチ８の接点間電圧はＶXとなる。また、電力供給源と負荷は接続状態となり、定格電流Ｉ0が流れ、負荷に(ＶE−ＶX)の電圧が供給される。
ここで、ＶXはＶEに比べて十分小さく、許容されるＶEの変動内であるよう選定できる。
従来であれば、時間ｔ1で機械式スイッチ８をオンすると、図８に示すように、時間ｔ1からｔ2にかけて接点の接続に伴い、接点間電圧、電流ともにアーク点弧条件を満たしてしまう危険なタイミングがあり、アーク点弧が避けられない。
一方、本発明では図７に示すように、時間ｔ1からｔ2にかけて接点の接続が進行するタイミングで、接点を流れる電流Ｉは増大して、最大アーク電流Ｉarcを超えるタイミングがあったとしても、接点間電圧はすでに最小アーク(点弧)電圧Ｖarcよりも十分小さいＶXまで下がっているため、アーク点弧は確実に回避できる。これにより、溶着を生じる強力なアークの発生を確実に防止できる。
その後、機械式スイッチ８のオン動作が完全に終了した時間ｔ2以降の時間ｔ3の段階で、真空パワースイッチ１内のスイッチ５をオフすることにより、ダイオード電源４から電力供給を停止することで、機械式スイッチ８のオン工程が完了する。
【００３６】
次に、機械式スイッチ８をオフする場合は以下のとおりである。電力供給源と負荷を遮断するため、時間ｔ1’で、機械式スイッチ８のオフを開始する場合、その直前の時間ｔ0’で真空パワースイッチ１内のスイッチ５をオン(ＩG＝０からＩG＝ＩGX)にして、ダイオード電源４から電圧ＶGを印加する。このとき、機械式スイッチ８の接点間の抵抗を０とすれば、端子間電圧は０のままであるので、図６の動作点(０，０)付近の状態となり、Ｉ＝Ｉ0，ＩA＝０のままである。
この状態で、機械式スイッチ８をオフすると、接点の解離に伴い接点間の接触面積が減少して接触抵抗が急激に増大するが、真空パワースイッチはすでにオンしており、図６の動作点(０，０)から(ＶX，Ｉ0)まで円滑に素早く移行できる。つまり、これに伴い電子放出電流ＩAが急激に増大し、機械スイッチ８を流れる全電流値Ｉは、Ｉ0＝Ｉ＋ＩAの関係を満たしながら急激に減少する。つまり、機械式スイッチ８の接点間の接触抵抗が急激に増大しても、機械式スイッチ８の接点間電圧は、真空パワースイッチの陽極電圧ＶXを維持する。
従来であれば、時間ｔ1’で機械式スイッチ８をオフすると、図８に示すように、時間ｔ1’からｔ2’にかけて機械式スイッチ８の接点の開放に伴い、接点間電圧、電流ともにアーク点弧条件を満たしてしまう危険なタイミングがあり、アーク点弧が避けられない。
一方、本発明では図７に示すように、時間ｔ1’からｔ2’にかけて機械式スイッチ８の接点の開放が進行するタイミングで、接点を流れる電流Ｉは減少しつつも、最大アーク電流Ｉarcを超えるタイミングがあるが、接点間電圧は最小アーク(点弧)電圧Ｖarcよりも十分小さいＶXまで下がったままであるため、アーク点弧は確実に回避できる。これにより、遮断器の遮断動作に逆らう強力なアークの発生を確実に防止できる。
その後、機械式スイッチ８のオフ動作が完全に終了した時間ｔ2’以降の時間ｔ3’の段階で、真空パワースイッチ１内のスイッチ５をオフすることにより、ダイオード電源４から電力供給を停止することで、機械式スイッチ８のオフ工程が完了する。
なお、真空パワースイッチ１内のオン・オフでは、機械的接点がもともとないため、アークが点弧することはない。
【００３７】
以上のシーケンスを実現するため、例えば、高電圧の電力線をスイッチングする場合、真空パワースイッチ１に例えばプッシュボタンを設け、このプッシュボタンから指令により、真空パワースイッチ１内のスイッチ５に対するオン・オフ指令、機械式スイッチ８をオン・オフするアクチュエータへの作動指令を、自動的にしかも時系列的に送出するよう、シーケンス制御を行う制御装置を設けるのが好適である。
その際、スイッチ５に対するオン・オフ指令遅延回路を設けることにより、ダイオード電流ＩGの上昇特性、下降特性を変更することで、例えば、ダイヤモンドＰＮ接合ダイオード２による電子放出電流の立ち上がり速度、立ち下がり速度を低下させ、負荷に対する電圧変動を抑制し、負荷に与える衝撃を一層低減することも可能である。
以上の動作は、既存の真空遮断器と同様、マイコンや電力系統網内の異常検知器等を用いた自動シーケンス動作が可能である。
【００３８】
なお、本実施例では、１０ｃｍ四方のダイヤモンドＰＮ接合ダイオード２を１個設けたが、電力供給源の定格電圧、定格電流に応じて、ダイヤモンドＰＮ接合ダイオード２の面積、すなわち容量を選択することができる。また、例えば、１ｃｍ四方のダイヤモンドＰＮ接合ダイオード２を所用数だけ並列接続して、電力供給源の定格電流に対応させるようにしてもよい。
【００３９】
［実施例２］
実施例１は、直流の電力供給源を前提としたが、実施例２は、交流の電力供給源を前提とする。図９において、電力供給源は交流式発電機であり、本実施例では、真空パワースイッチ１Ａ、１Ｂを逆向きに取り付ける。
真空パワースイッチ１Ａ、１Ｂは、ともに、順方向にのみ電子放出電流ＩAを出力することから、位相に応じて、それぞれ実施例１の真空パワースイッチ１と同様の作用を奏する。
【産業上の利用可能性】
【００４０】
以上説明したように、本発明によれば、例えば、発電量１.８ＭＷ程度の電力供給源とした場合でも、真空パワースイッチに使用するダイヤモンドＰＮ接合ダイオードとして、１０ｃｍ四方のダイヤモンドＰＮ接合ダイオード２を用いることで、消費電力を低減するとともに、低コスト、小型で、必要なバイパス電流を確保することができる。しかも、ダイヤモンドＰＮダイオードは、耐電圧性、電力伝達効率がきわめて高いとして素子自体の特質を備えているので、例えば、超高電圧の電力系統に配置される遮断器、切替器等として広く採用されることが期待できる。
【符号の説明】
【００４１】
１    真空パワースイッチ
２    ダイヤモンドＰＮ接合ダイオード
３    陽極
４    ダイオード電源
５    スイッチ
６    負荷
７    高圧直流電源
８    機械式スイッチ(高電圧遮断器)
【図１】
2014238977.tif 000003
【図２】
2014238977.tif 000004
【図３】
2014238977.tif 000005
【図４】
2014238977.tif 000006
【図５】
2014238977.tif 000007
【図６】
2014238977.tif 000008
【図７】
2014238977.tif 000009
【図８】
2014238977.tif 000010
【図９】
2014238977.tif 000011